(57)【要約】【課題】複数のコマを有するレイアウトに複数種類の画像を割り付ける際に、レイアウトと画像の種類の数との関係を容易かつ適切に設定できる画像レイアウト装置を提供する。【解決手段】画像の種類の数とレイアウトの種類とを対応付けて記憶した対応レイアウト記憶手段と、選択された画像の種類の数に応じて、これらの画像を割り付ける際に用いるレイアウトを、対応レイアウト記憶手段に記憶されている対応関係に基づいて決定するレイアウト決定手段とを設ける。アイテム選択画面２１０で商品の種類を選択し画像選択画面２２０でプリントする画像を選択すると、これらに応じたレイアウトが自動選択されてレイアウト確認画面２３０に表示される。【選択図】図１
2004312106.tif 000002
【特許請求の範囲】
【請求項１】
１または複数種類の画像を、複数のコマを有するレイアウトに割り付ける画像レイアウト装置であって、
画像の種類の数とレイアウトの種類とを対応付けて記憶した対応レイアウト記憶手段と、
選択された画像の種類の数に応じて、これらの画像を割り付ける際に用いるレイアウトを、前記対応レイアウト記憶手段に記憶されている対応関係に基づいて決定するレイアウト決定手段と
を有することを特徴とする画像レイアウト装置。
【請求項２】
１または複数種類の画像を、複数のコマを有するレイアウトに割り付ける画像レイアウト装置であって、
レイアウトの種類と画像の種類の数とを対応付けて記憶した対応画像数記憶手段と、
選択されたレイアウトに応じて、このレイアウトに含めることのできる画像の種類の最大数を、前記対応画像数記憶手段に記憶されている対応関係に基づいて決定する最大画像数決定手段と
を有することを特徴とする画像レイアウト装置。
【請求項３】
レイアウトの選択を受け付けるレイアウト選択受付手段と、
レイアウトに割り付ける画像の種類の選択を受け付ける画像選択受付手段とを有し、
前記最大画像数決定手段は、前記レイアウト選択受付手段を通じて選択されたレイアウトに応じた画像の種類の最大数を求め、
前記画像選択受付手段は、前記最大画像数決定手段の求めた最大数の範囲において画像の種類の選択を受け付ける
ことを特徴とする請求項２に記載の画像レイアウト装置。
【請求項４】
画像の種類毎のコマ数が均等になるように、レイアウト内のコマに画像を割り付ける
ことを特徴とする請求項１、２または３に記載の画像レイアウト装置。
【請求項５】
ｎ（ｎは正の整数）個のコマを有するレイアウトに、ｍ（ｍは正の整数かつｍ≦ｎ）種類の指定された画像を割り付けるとき、１種類の画像についてｎをｍで除して得た商が示す数のコマを割り当てるとともに、余りが出た場合には、それらのコマを空欄にするかもしくはそれらのコマに前記指定されたｍ種類の画像以外の画像を割り付ける
ことを特徴とする請求項４に記載の画像レイアウト装置。
【請求項６】
レイアウトの反映される画像領域を、コマが分断されないようにして、１つの境界線または他の境界線に突き当たることのない複数の境界線で複数の部分領域に分割し、前記部分領域毎に１種類の画像を割り付ける
ことを特徴とする請求項１、２、３、４または５に記載の画像レイアウト装置。
【請求項７】
レイアウトの反映される画像領域を、コマが分断されないようにして複数の部分領域に分割する境界線と、前記境界線に沿って前記画像領域を順に切り分ける際に、次に切る境界線が他の境界線に突き当たらないものとなるように切取順序を案内するガイド情報とを前記画像領域に表示する
ことを特徴とする請求項１、２、３、４、５または６に記載の画像レイアウト装置。
【請求項８】
前記部分領域毎に１種類の画像のコマを割り付ける
ことを特徴とする請求項７に記載の画像レイアウト装置。
【請求項９】
前記切取順序を案内するガイド表示を、数字、文字、記号、図柄、色、模様のいずれかもしくはこれらの組み合わせによって表示する
ことを特徴とする請求項７または８に記載の画像レイアウト装置。
【請求項１０】
隣り合う部分領域同士の背景模様または背景色を相違させることで境界線を表示する
ことを特徴とする請求項６、７、８または９に記載の画像レイアウト装置。
【請求項１１】
１または複数種類の画像を複数のコマに割り付けたプリントを作成するプリント装置であって、
請求項１、２、３、４、５、６、７、８、９または１０のいずれかに記載の画像レイアウト装置を備え、
前記画像レイアウト装置の動作結果に従ってプリントを作成する
ことを特徴とするプリント装置。
【発明の詳細な説明】
【０００１】
【発明の属する技術分野】
本発明は、１または複数種類の画像を、複数のコマを有するレイアウトに割り付ける画像レイアウト装置およびこの画像レイアウト装置の動作結果に従ってプリントを作成するプリント装置に関する。
【０００２】
【従来の技術】
デジタルカメラの普及に伴って、顧客のデジタル画像を素材に用いて作成されるシールプリントなどの商品の注文を、インターネットを通じて受け付け、作成した商品を郵送や最寄りの店舗を通じて顧客に引き渡す仕組みのプリント販売システムが登場している。このシステムでは、ネットワーク上に設けた画像データベースに、顧客のデジタル画像データをアップロードして登録しておき、この画像データベースに登録されている画像の中から顧客が指定したものをプリントするようになっている（たとえば、特許文献１参照。）。
【０００３】
【特許文献１】
特開２００２−４１６３２号公報
【０００４】
【発明が解決しようとする課題】
【０００５】
１枚のシートの中に複数のコマを有するシールプリント等の商品を注文する場合には、素材となる１または複数種類の画像を指定し、さらに、これらの画像を１枚のシートに割り付けるためのレイアウトを指定することになる。このためプリント条件を設定するための操作が複雑になってしまう。特に、携帯電話からネットワークを通じて注文する場合には、携帯電話の表示能力や操作性がパーソナルコンピュータに比べて低いことから、顧客の満足できる注文条件を簡単に設定し得ることが望ましい。
【０００６】
また複数人が持ち寄った画像を１枚のシートにまとめてプリントするような場合には、全員が同じコマ数でないと、切り分けた際に不公平が生じてしまう。このため、画像の種類毎のコマ数が均等になっていることが望ましい。さらに画像の種類毎に、容易に切り分けできると便利である。
【０００７】
本発明は、このような点に着目してなされたもので、複数種類の画像を、複数のコマを有するレイアウトに割り付ける際に用いるレイアウトの種類と画像の種類数との関係を容易かつ適切に設定することのできる画像レイアウト装置およびこれを用いたプリント装置を提供することを目的としている。
【０００８】
【課題を解決するための手段】
かかる目的を達成するための本発明の要旨とするところは、次の各項の発明に存する。
請求項１に記載の発明は、１または複数種類の画像を、複数のコマを有するレイアウトに割り付ける画像レイアウト装置であって、画像の種類の数とレイアウトの種類とを対応付けて記憶した対応レイアウト記憶手段（３２）と、選択された画像の種類の数に応じて、これらの画像を割り付ける際に用いるレイアウトを、前記対応レイアウト記憶手段（３２）に記憶されている対応関係に基づいて決定するレイアウト決定手段（３３）とを有することを特徴とするものである。
【０００９】
上記発明によれば、画像の種類の数に応じてレイアウトが決定される。これにより、レイアウトを選択するための操作負担を軽減またはなくすることができる。なお、画像の種類の数毎に１つのレイアウトを対応付けるほか、複数種類用意されたレイアウトの中の２以上ものを対応付けるようにしてもよい。２以上のレイアウトを対応付ける場合においても、それらのレイアウトがその画像の種類の数に適したものであれば、全部の中から選択する場合に比べてレイアウトの選択が容易になる。
【００１０】
請求項２に記載の発明は、１または複数種類の画像を、複数のコマを有するレイアウトに割り付ける画像レイアウト装置であって、レイアウトの種類と画像の種類の数とを対応付けて記憶した対応画像数記憶手段（４３２）と、選択されたレイアウトに応じて、このレイアウトに含めることのできる画像の種類の最大数を、前記対応画像数記憶手段（４３２）に記憶されている対応関係に基づいて決定する最大画像数決定手段（４３３）とを有することを特徴とするものである。
【００１１】
上記発明によれば、選択されたレイアウトに応じて、画像の種類の最大数が決定される。これにより、当該レイアウトに含める画像の種類が適切な数になり、各コマに画像をバランスの良く割り付けることが可能になる。なお、レイアウトの種類毎に１つの画像の種類の数を対応付けるほか、複数種類の数を対応付けるようにしてもよい。２種以上の数を対応付ける場合においても、それらがそのレイアウトに適した数であれば、すべての候補の中から画像の種類の数を選択する場合に比べてレイアウトに適した数を容易に選択することができる。
【００１２】
請求項３に記載の発明は、請求項２に記載の画像レイアウト装置であって、レイアウトの選択を受け付けるレイアウト選択受付手段（２１）と、レイアウトに割り付ける画像の種類の選択を受け付ける画像選択受付手段（２１）とを有し、前記最大画像数決定手段（４３３）は、前記レイアウト選択受付手段（２１）を通じて選択されたレイアウトに応じた画像の種類の最大数を求め、前記画像選択受付手段（２１）は、前記最大画像数決定手段（４３３）の求めた最大数の範囲において画像の種類の選択を受け付けることを特徴とするものである。
【００１３】
上記発明によれば、最大画像数決定手段（４３３）の求めた最大数の範囲において画像の種類の選択を受け付けるので、最大数以上の画像を誤って選択することが防止される。最大数の範囲内であれば、最大数未満であってもかまわない。たとえば、最大数の画像が選択されたときには、画像の種類を選択する工程を強制終了し、最大数未満の状態では、利用者の終了操作によってこの工程を終了する等である。
【００１４】
請求項４に記載の発明は、画像の種類毎のコマ数が均等になるように、レイアウト内のコマに画像を割り付けることを特徴とするものである。
【００１５】
上記発明によれば、画像の種類毎のコマ数が均等になる。なお、均等であれば、画像の種類毎のコマ数は、当該レイアウトにおいて取り得る最大数でなくてもよい。
【００１６】
請求項５に記載の発明は、請求項４に記載の画像レイアウト装置であって、ｎ（ｎは正の整数）個のコマを有するレイアウトに、ｍ（ｍは正の整数かつｍ≦ｎ）種類の指定された画像を割り付けるとき、１種類の画像についてｎをｍで除して得た商が示す数のコマを割り当てるとともに、余りが出た場合には、それらのコマを空欄にするかもしくはそれらのコマに前記指定されたｍ種類の画像以外の画像を割り付けることを特徴とするものである。
【００１７】
上記発明によれば、画像の種類毎のコマ数は、均等になる範囲で最大値になる。さらに、余りが出た場合には、それらのコマを空欄にするかもしくはそれらのコマに指定されたｍ種類の画像以外の画像を割り付けるので、余りのコマが出た場合にも、画像の種類同士の間に不公平が生じない。
【００１８】
請求項６に記載の発明は、請求項１、２、３、４または５に記載の画像レイアウト装置であって、レイアウトの反映される画像領域を、コマが分断されないようにして、１つの境界線または他の境界線に突き当たることのない複数の境界線で複数の部分領域に分割し、前記部分領域毎に１種類の画像を割り付けることを特徴とするものである。
【００１９】
上記発明によれば、境界線で区切られた部分領域毎に１種類の画像を割り当てるので、このレイアウトで作成されたプリントを、画像の種類毎に切り分けることができる。特に各境界線が他の境界線に突き当たる（たとえばＴ字状に突き当たる）ことがないので、鋏を途中で止めることなく境界線に沿ってシートを端から端まで切ることができ、切り分け作業が簡単化される。なおこの発明は、「１または複数種類の画像を、複数のコマを有するレイアウトに割り付ける画像レイアウト装置であって、レイアウトの反映される画像領域を、コマが分断されないようにして、１つの境界線または他の境界線に突き当たることのない複数の境界線で複数の部分領域に分割し、前記部分領域毎に１種類の画像を割り付けることを特徴とする画像レイアウト装置。」として独立させてもよい。
【００２０】
請求項７に記載の発明は、請求項１、２、３、４、５または６に記載の画像レイアウト装置であって、レイアウトの反映される画像領域をコマが分断されないようにして複数の部分領域に分割する境界線と、前記境界線に沿って前記画像領域を順に切り分ける際に、次に切る境界線が他の境界線に突き当たらないものとなるように切取順序を案内するガイド情報とを前記画像領域に表示することを特徴とするものである。
【００２１】
上記発明によれば、境界線が他の境界線に、突き当たっている場合（たとえばＴ字状に突き当たっている場合）であっても、ガイド情報の示す順序で切り取ることによって、鋏を途中で止めることなく境界線に沿ってシートを端から端まで切り通すことができる。これにより、多様なレイアウトを実現しつつ、切り分けの容易性が確保される。なおこの発明は、「複数のコマを有するレイアウトに従って作成されたプリント物において、当該プリント物をコマが分断されないようにして複数の部分領域に分割する切取線と、前記切取線に沿って前記画像領域を順に切り分ける際に、次に切る切取線が他の切取線に突き当たらないものとなるように切取順序を案内するガイド情報とを有することを特徴とするプリント物。」としてもよい。また上記のプリント物を作成する方法、装置としてもよい。切取順序は、他の切取線に突き当たらない切取線を探して番号を振り、この切取線で切り分けた各断片において他の切取線に突き当たらない切取線を探して次番号を振るという作業を断片内に切取線が無くなるまで繰り返すことで、設定することができる。この手順を用いれば、たとえば、利用者が任意に設定した複数の切取線に対してその場で切取順序を設定してガイド表示することが可能になる。
【００２２】
請求項８に記載の発明は、請求項７に記載の画像レイアウト装置であって、前記部分領域毎に１種類の画像のコマを割り付けることを特徴とするものである。
【００２３】
上記発明によれば、境界線で区切られた部分領域毎に１種類の画像を割り当てるので、このレイアウトよって作成されたプリントを画像の種類毎に切り分けることができる。
【００２４】
請求項９に記載の発明は、請求項７または８に記載の画像レイアウト装置であって、前記切取順序を案内するガイド表示を、数字、文字、記号、図柄、色、模様のいずれかもしくはこれらの組み合わせによって表示することを特徴とするものである。
【００２５】
上記発明によれば、ガイド表示をわかり易くしたり、表示スペースを少なくしたりすることができる。
【００２６】
請求項１０に記載の発明は、請求項６、７、８または９に記載の画像レイアウト装置であって、隣り合う部分領域同士の背景模様または背景色を相違させることで境界線を表示することを特徴とするものである。
【００２７】
上記発明によれば、境界線を明確に認識することができる。また背景模様や背景色による境界は、点線などの線分で表示する場合に比べて、違和感が少なく、シートを切り取らない場合でも境界線が邪魔にならない。
【００２８】
請求項１１に記載の発明は、１または複数種類の画像を複数のコマに割り付けたプリントを作成するプリント装置であって、請求項１、２、３、４、５、６、７、８、９または１０のいずれかに記載の画像レイアウト装置を備え、画像レイアウト装置の動作結果に従ってプリントを作成することを特徴とするものである。
【００２９】
上記発明によれば、たとえば、ネットワークを通じて顧客の携帯電話からプリント注文を受け付けてプリント作成するシステム等に画像レイアウト装置が適用される。
【００３０】
【発明の実施の形態】
以下、図面に基づき本発明の一実施の形態を説明する。
図２は、本発明の第１の実施の形態にかかわる画像レイアウト装置を含むプリント装置としての機能を果すプリントサービスシステム１の概略構成を示している。プリントサービスシステム１は、顧客がデジタルカメラ等で撮影した画像を、ネットワーク２を通じてアップロードして保管しておき、その中から顧客の指定する画像をシールや印画紙にプリントして販売するシステムである。
【００３１】
プリントサービスシステム１は、顧客からプリント注文を受け付ける注文受付装置１０と、顧客の指定する画像をプリントする店舗やラボなどに設置されるプリントサーバ６〜８で構成される。これらはインターネットなどのネットワーク２を通じて互いに接続される。
【００３２】
注文受付装置１０は、プリントサービスシステム１におけるセンターサーバとしての機能を果たす。店舗のプリントサーバ６は、コンビニエンスストアなど各種の小売店に設置される。ラボのプリントサーバ７は、フィルムの現像所などに設置される。証明写真ＢＯＸのプリントサーバ８は、インスタント式の証明写真をセルフサービスで作成するために駅構内や街頭などに設置されている証明写真ＢＯＸに取り付けられる。
【００３３】
顧客は、ネットワーク２に接続されたパーソナルコンピュータ３や、基地局４を含む移動電話網を介してネットワーク２に接続された携帯電話５などの端末装置（クライアント）から注文受付装置１０にアクセスするようになっている。注文受付装置１０は、画面データやプログラム、その他のデータを携帯電話５に送信することで、所定の画面を表示したり、その画面に伴う入力操作を受け付けて、この操作内容を示す情報を注文受付装置１０へ送信したりするように携帯電話５を機能させる。そして注文受付装置１０は、携帯電話５から送られてきた、データを受信することで、注文の受け付けなど各種の処理を実行するようになっている。
【００３４】
図３は、注文受付装置１０の概略構成を示している。注文受付装置１０は、ＣＰＵ（中央処理装置）、ＲＯＭ（リード・オンリ・メモリ）、ＲＡＭ（ランダム・アクセス・メモリ）、ハードディスクなどの記憶装置を主要部とするサーバ・コンピュータで構成されている。注文受付装置１０は、通信制御手段１１とプリントサービス制御手段２０としての機能を備えている。このうち通信制御手段１１は、ネットワーク２を通じてプリントサーバ６〜８や顧客の端末装置３、５との間で各種の情報を送受信する機能を果たす。
【００３５】
プリントサービス制御手段２０は、注文受付装置１０の動作を統括制御する機能を果たす。詳細には、会員の登録や登録内容変更、脱退など会員にかかわる情報の管理と、会員からアップロードされた画像の管理と、プリント注文の管理などを行なう。プリントサービス制御手段２０には、会員データベース１２と、画像データベース１３と、注文データベース１４と、店舗データベース１５とが接続されている。このうち会員データベース１２は、会員となった顧客の情報を記憶管理するデータベースであり、たとえば会員番号と関連付けることで、会員毎に、住所、氏名、電話番号、パスワードのほか、マイショップや標準の郵送先等が登録される。
【００３６】
画像データベース１３は、会員がアップロードしてきた画像を記憶管理するものであり、会員毎に、画像データとその画像のファイル名やタイトル名が登録される。注文データベース１４は、注文内容や販売処理の進捗状況などを記憶管理するものである。店舗データベース１５には、商品の引渡しが可能な店舗の名称や住所等からなる店舗情報や近隣の地図情報が登録されている。
【００３７】
プリントサービス制御手段２０は、注文受付手段２１と、画像レイアウト装置３０と、商品データ作成手段２２の各機能を備えている。注文受付手段２１は、プリントする画像の種類、作成されたシールプリントの受取方法などの注文条件を顧客に問い合わせて注文を受け付ける機能を果す。受取方法には、コンビニエンスストアで受け取る「コンビニ受取」と、「郵送受取」と、証明写真ＢＯＸで商品を受け取る「証明写真ＢＯＸ受取」の３種類がある。ここでは、受取方法毎に１つの支払方法を対応付けてある。「コンビニ受取」には現金支払を、「郵送受取」にはクレジット支払を、「証明写真ＢＯＸ受取」には現金支払をそれぞれ対応付けて記憶してある。受取方法を選択すると自動的に支払方法が決定されるようになっている。
【００３８】
画像レイアウト装置３０は、指定された１または複数種類の画像をプリントする際のレイアウトを決定する機能を果すものである。画像レイアウト装置３０は、レイアウト記憶手段３１と、対応レイアウト記憶手段３２と、レイアウト決定手段３３と、画像割当手段３４の各機能を有する。レイアウト記憶手段３１は、予め用意された複数種類のレイアウトを記憶する。対応レイアウト記憶手段３２は、画像の種類の数とレイアウトの種類とを対応付けて記憶する。レイアウト決定手段３３は、プリント注文において顧客が選択した画像の種類の数に応じて、これらの画像を割り付ける際に用いるレイアウトを、対応レイアウト記憶手段３２に記憶されている対応関係に基づいて決定するものである。各レイアウトは複数のコマを有しており、画像割当手段３４は、顧客が選択した画像をこれらのコマに割り当てる機能を果す。
【００３９】
商品データ作成手段２２は、注文の受付を完了したとき、注文されたプリントの作成をその注文内容に最適なプリントサーバ６〜８に依頼する機能を果たす。具体的には、指定された注文条件に従う注文データを作成し、これを注文条件で指定された受取方法および受取場所に応じたプリントサーバに送信する。たとえば、受取方法および受取場所として○○コンビニチェーンの日野店が指定された場合には、当該日野店を管轄する店舗のプリントサーバ６に注文データを送信するようになっている。
【００４０】
図４から図１２は、レイアウト記憶手段３１に記憶されている各種のレイアウトを例示したものである。シールプリントには、サイズの異なるコマが混在するマルチタイプと、同一サイズのコマを４×５の行列状に配置した２０面タイプが用意されている。図４から図７はマルチタイプのレイアウトを図８から図１２は２０面タイプのレイアウトを示している。
【００４１】
図４に示す第１のマルチレイアウト４０は、複数種類のサイズのコマを有し、１種類の画像をレイアウト内のすべてのコマに割り付けるのに適したレイアウトである。第１のマルチレイアウト４０は、１個の大サイズコマ４１と、１個の中サイズコマ４２と、７個の小サイズコマ４３を有している。
【００４２】
図５に示す第２のマルチレイアウト５０は、２種類の画像のプリントに適したレイアウトである。第２のマルチレイアウト５０は、２個の中サイズコマ５２と、１６個の小サイズコマ５３とを有している。このレイアウト４０はその画面領域を部分領域Ａと部分領域Ｂの２つに分けてある。各部分領域は中サイズコマ１個と小サイズコマ８個で構成される。１つの部分領域には同じ種類の画像が割り付けられる。部分領域同士の境界線である図中の点線５５に沿って切り分けると、１枚のシートが画像の種類毎に分割されるようになっている。
【００４３】
図６に示す第３のマルチレイアウト６０は、３種類の画像のプリントに適したレイアウトである。第３のマルチレイアウト６０は、３個の中サイズコマ６２と、１２個の小サイズコマ６３とを有している。このレイアウト６０では画面領域をＡおよびＢ、Ｃの３つの部分領域に分けてある。各部分領域は、中サイズコマ１個と小サイズコマ４個で構成されている。１つの部分領域には同じ種類の画像が割り付けられる。部分領域同士の境界線である図中の点線６５および点線６６に沿って切り分けると、１枚のシートが画像の種類毎に分割される。
【００４４】
図７に示す第４のマルチレイアウト７０は、４種類の画像のプリントに適したレイアウトである。第４のマルチレイアウト７０は、４個の中サイズコマ７２と、８個の小サイズコマ７３とを有している。このレイアウト７０では画面領域をＡおよびＢ、Ｃ、Ｄの４つの部分領域に分けてある。各部分領域は、中サイズコマ１個と小サイズコマ２個で構成される。１つの部分領域には同じ種類の画像が割り付けられる。部分領域同士の境界線である図中の点線７５および点線７６に沿って切り分けると、１枚のシートが画像の種類毎に分割される。
【００４５】
図８に示す第１の２０面レイアウト８０は、すべてのコマに同一の画像を割りつけたものであり、１種類の画像のプリントに適している。  図９に示す第２の２０面レイアウト９０は、１枚のシートをＡとＢの２つの部分領域に分けたものである。部分領域Ａは、上寄りの２行に配置された１０個のコマで構成される。部分領域Ｂは、下寄りの２行に配置された１０個のコマで構成される。このレイアウト９０は２種類の画像のプリントに適している。１つの部分領域には同じ種類の画像が割り付けられる。部分領域同士の境界線である図中の点線９５に沿って切り分けると１枚のシートが画像の種類毎に上下に分割される。
【００４６】
図１０に示す第３の２０面レイアウト１００は、１枚のシートをＡおよびＢ、Ｃの３つの部分領域に分けたものである。部分領域Ａは、上寄り２行の中の左寄り３列に配置された６個のコマで構成される。部分領域Ｂは、下寄り２行の中の左寄り３列に配置された６個のコマで構成される。部分領域Ｃは、右寄り２列に配置された８個のコマで構成される。このレイアウト１００は３種類の画像のプリントに適している。１つの部分領域には同じ種類の画像が割り付けられる。
【００４７】
ここでは、ｎ（ｎは正の整数）個のコマを有するレイアウトに、ｍ（ｍは正の整数かつｍ≦ｎ）種類の指定された画像を割り付けるとき、１種類の画像についてｎをｍで除して得た商が示す数のコマを割り当てるとともに、余りが出た場合には、それらのコマを空欄にするかもしくはそれらのコマに指定されたｍ種類の画像以外の画像を割り付けるようになっている。画像の種類毎のコマ数を均等にするために、部分領域Ｃの中の下寄り１行に配置された２個のコマは、余りのコマ１０１として扱われる。これら余りのコマ１０１は空欄にされるか、もしくは顧客が指定した画像と異なる画像が割り付けられる。たとえば、販売業者が用意したキャラクタなどの画像がプリントされる。部分領域同士の境界線である図中の点線１０５および点線１０６に沿って切り分けると１枚のシートが部分領域毎（画像の種類毎）に分割される。
【００４８】
図１１に示す第４の２０面レイアウト１１０は、４行５列に配置された２０個のコマのうち、上寄りの３行だけを用いてＡおよびＢ、Ｃの３つの部分領域を形成したものである。部分領域Ａは、最も上の行に属する５個のコマで構成される。部分領域Ｂは、上から２番目の行に属する５個のコマで構成され、部分領域Ｃは、上から３番目の行に属する５個のコマで構成される。このレイアウトは３種類の画像のプリントに適している。最も下の行は、空欄になるか、もしくは顧客が指定した画像と異なる画像が割り付けられる。たとえば、販売業者が用意したキャラクタなどの画像がプリントされる。１つの部分領域には同じ種類の画像が割り付けられる。部分領域同士の境界線である図中の点線１１５および点線１１６に沿って切り分けると１枚のシートが画像の種類毎に分割される。
【００４９】
図１２に示す第５の２０面レイアウト１２０は、横一行を単位として２０個のコマを上から順にＡ〜Ｄの４つの部分領域に分けたものである。このレイアウト１２０は４種類の画像のプリントに適している。１つの部分領域には同じ種類の画像が割り付けられる。部分領域同士の境界線である図中の点線１２５および点線１２６、点線１２７に沿って切り分けると１枚のシートが画像の種類毎に分割される。
【００５０】
上記のように、各レイアウトは、画像の種類毎に割り当てられるコマ数が均等に設定されている。また画像の種類毎に切り分け易いように配列されている。特に、第２のマルチレイアウト５０、第４のマルチレイアウト７０、第２の２０面レイアウト９０、第４の２０面レイアウト１１０、第５の２０面レイアウト１２０については、レイアウトの反映される画像領域（シート）を、コマが分断されないようにして、１つの境界線または他の境界線に突き当たることのない複数の境界線で複数の部分領域に分割している。これにより、途中で止まることなく点線５５等に沿ってシートを端からは端まで切り通すことができ、鋏などで簡単に切り分けることができるようになっている。
【００５１】
図８〜図１２に示した点線５５などは、切取線として実際にシートにプリントしてもよいし、しなくてもよい。また切取線をプリントするか否かを顧客が選択し得るように構成してもよい。特に切取線の要否を顧客毎に登録しておき、この登録内容に従って切取線のプリント要否が自動的に切り替えられるようにすれば便利である。
【００５２】
図１３は、対応レイアウト記憶手段３２が記憶している画像の種類の数とレイアウトとの対応関係を表した対応レイアウト表１５０である。商品の種類がマルチタイプの場合には、画像の種類数「１」に第１のマルチレイアウト４０を、「２」に第２のマルチレイアウト５０を、「３」に第３のマルチレイアウト６０を、「４」に第４のマルチレイアウト７０を対応付けてある。商品の種類が２０面タイプの場合には、画像の種類数「１」に第１の２０面レイアウト８０を、「２」に第２の２０面レイアウト９０を、「３」に第３の２０面レイアウト１００を、「４」に第５の２０面レイアウト１２０を対応付けてある。なお、第３の２０面レイアウト１００に代えて第４の２０面レイアウト１１０を画像の種類数「３」に対応付けて登録してもよい。
【００５３】
次に、顧客の携帯電話５からプリントサービスシステム１を利用する際の流れについて説明する。プリントサービスシステム１を利用するには、まず会員登録を行なう。会員登録することによって、デジタルカメラなどで撮影した写真の画像データを携帯電話５やパーソナルコンピュータ３からネットワーク２を通じて注文受付装置１０へアップロードして画像データベース１３に登録することができる。アップロードした画像はその会員に関連付けて登録される。これらの画像は、本人が公開を許可しない限り、本人だけが利用でき、他人が見たり、他人がプリントの素材として利用したりすることはできい。
【００５４】
図１４は、携帯電話５からシールプリントを注文する際の手順を示している。会員登録後に顧客が携帯電話５からネットワーク２を通じて注文受付装置１０のホームページにアクセスすると、携帯電話５の表示部に図示省略のメニュー画面が表示される。この画面の中にある「プリント注文」の欄を選択すると、図１４に示すプリント注文処理が行なわれる。まず顧客の携帯電話５に図示省略の受取方法選択画面が表示される。顧客はこの画面を通じて商品の受取方法を選択する（ステップＳ２０１）。
【００５５】
次に、顧客の携帯電話５に図１に示すアイテム選択画面２１０が表示される。顧客は、この画面２１０に表示された「［１］シールプリント２０面」の欄２１１と「［２］シールプリントマルチ」の欄２１２のいずれかを選択して「決定」ボタン２１３でこの選択を確定することで、商品の種類を特定する（図１４、ステップＳ２０３）。「［１］シールプリント２０面」の欄２１１を選択すると商品の種類として、図４〜図７に示すようなマルチタイプのシールプリントが選択される。「［２］シールプリントマルチ」の欄２１２を選択すると商品の種類として、図８〜図１２に示すような２０面タイプのシールプリントが選択される。
【００５６】
商品の種類を決定すると、図１に示す画像選択画面２２０が顧客の携帯電話５に表示される。顧客はこの画面２２０を通じて、シールプリントの素材として用いる画像を選択する（図１４、ステップＳ２０３）。画像選択画面２２０には、当該会員が画像データベース１３に登録している画像毎に、タイトル名とその画像の採否を選択するためのチェックボックスとが対応付けて一覧表示される。また、新規に画像を追加登録するための「新規画像登録」の欄２２１が表示される。「新規画像登録」の欄２２１を選択すると、画像登録処理が実行され、新たに画像データを画像データベース１３に登録することができる。またタイトル名を選択すると、携帯電話５の表示部において、その画像を確認することができる。
【００５７】
希望の画像に対応するチェックボックスをマークして「決定」ボタン２２２を操作すると、今回注文するシールプリントに用いる画像の種類が確定するとともに、選択された画像の種類の数に応じたレイアウトが自動的に決定される。図１５は、画像の選択とレイアウトの決定にかかわる処理の流れを詳細に示したものである。選択された画像の種類の数を示す変数ｍを１に初期化し（ステップＳ３０１）、その後、顧客から１つの画像の選択を受け付ける（ステップＳ３０２）。ｍの値が、許容される最大画像数（ここでは「４」）より小さい場合には（ステップＳ３０３；Ｙ）、顧客が画像の追加を希望したか否かを調べる（ステップＳ３０４）。画像の追加を希望している場合には（ステップＳ３０４；Ｙ）、選択された画像の種類数を示す変数ｍを「＋１」し（ステップＳ３０５）、ステップＳ３０２に戻って次の画像の選択を受け付ける。
【００５８】
画像の種類の数を示す変数ｍが最大画像数以上になった場合（ステップＳ３０３；Ｎ）もしくはｍが最大画像数未満であっても画像の追加を顧客が希望しなかった場合には（ステップＳ３０４；Ｎ）、レイアウト決定手段３３が、先に選択された商品の種類とこのｍの値とをキーとして対応レイアウト表１５０を参照して、今回のシールプリントに用いるレイアウトを決定する（ステップＳ３０６）。たとえば、商品の種類がマルチタイプで画像の種類数が「２」の場合には、第２のマルチレイアウト５０を選択する。
【００５９】
こうして自動選択したレイアウトのサンプルを示すレイアウト確認画面２３０（図１）を顧客の携帯電話５に表示して、このレイアウトで良いか否かの確認を顧客に求める（ステップＳ３０７）。このレイアウトを顧客が承認すると（ステップＳ３０７；Ｙ）、画像の種類とレイアウトにかかわる注文情報の設定が完了する（ステップＳ３０８）。自動選択したレイアウトの採用を顧客が拒否した場合には（ステップＳ３０７；Ｎ）、今回の注文をキャンセルする等の処理が行われる（ステップＳ３０９）。
【００６０】
このように、顧客が画像を選択すると、その画像の種類の数に応じたレイアウトが自動的に選択されるので、顧客自身が画像とレイアウトの双方を選択する場合に比べて操作負担が軽減される。また画像の種類の数に適したレイアウトが自動選択されるので、選択された１または複数の画像が適切にコマ割りされたプリントを得ることができる。
【００６１】
画像およびレイアウトが決定すると（図１４、ステップＳ２０３）、次に注文枚数の設定を受け付け（ステップＳ２０４）、さらに受取場所の特定操作を受け付ける（ステップＳ２０５）。たとえば、受取方法として「コンビニ受取」が選択されている場合には、商品を受け取る店舗が具体的に特定される。また「郵送受取」の場合には、送付先の住所等が入力される。
【００６２】
このようにしてすべての注文条件の入力が終了すると、注文内容を確認する図示省略の画面が顧客の携帯電話５に表示される。この画面で注文内容を確認した顧客が、図示省略の「注文ボタン」を操作すると、注文の受付が完了する（ステップＳ２０６）。
【００６３】
次に、本発明の第２の実施の形態について説明する。
第１の実施の形態では、画像の種類の数に応じてレイアウトを自動選択したが、第２の実施の形態では、顧客の選択したレイアウトに応じて、顧客が選択可能な画像の種類の最大数を制限するようになっている。
【００６４】
図１６は、第２の実施の形態にかかわる注文受付装置４００の概略構成を示している。第１の実施の形態の注文受付装置１０と同一部分には同一の符号を付してあり、それらの説明は省略する。注文受付装置４００は、プリントサービス制御手段４２０の有する画像レイアウト装置４３０が第１の実施の形態のものと相違している。画像レイアウト装置４３０は、対応レイアウト記憶手段３２とレイアウト決定手段３３に代えて対応画像数記憶手段４３２と最大画像数決定手段４３３を有している。なお、注文受付手段２１は、画像レイアウト４３０の機能の一部である、レイアウトの選択を受け付けるレイアウト選択受付手段と、レイアウトに割り付ける画像の種類の選択を受け付ける画像選択受付手段としての機能も果すようになっている。
【００６５】
対応画像数記憶手段４３２は、レイアウトの種類と画像の種類の数とを対応付けて記憶している。最大画像数決定手段４３３は、顧客が選択したレイアウトの種類に応じて、このレイアウトに含めることのできる画像の種類の最大数を、対応画像数記憶手段４３２を参照して決定する機能を果す。図１７は、対応画像数記憶手段４３２に記憶されている対応画像数一覧表４４０を示している。
【００６６】
第１のマルチレイアウト４０には画像の種類の最大数「１」を、第２のマルチレイアウト５０には「２」を、第３のマルチレイアウト６０には「３」を、第４のマルチレイアウト７０には「４」を対応付けてある。第１の２０面レイアウト８０には画像の種類の最大数「１」を、第２の２０面レイアウト９０には「２」を、第３の２０面レイアウト１００および第４の２０面レイアウト１１０には「３」を、第５の２０面レイアウト１２０には「４」を対応付けてある。
【００６７】
次に、第２の実施の形態における注文受付装置４００に顧客の携帯電話５からシールプリントを注文する際の手順を説明する。プリント注文の手順は、図１４に示したものと同様であるが、画像を選択するステップＳ２０３に代えて、図１８に示すレイアウト・画像選択処理が行なわれる。レイアウト・画像選択処理では、まず、顧客の携帯電話５にレイアウト選択画面を表示して、レイアウトの選択を受け付ける（ステップＳ４５１）。
【００６８】
図１９は、顧客の携帯電話５に表示されるレイアウト選択画面４６０の一例を示している。レイアウト選択画面４６０には、図１のアイテム選択画面２１０で選択された商品の種類に対応するレイアウトの候補が一覧表示される。すなわち、２０面タイプが選択されている場合には、２０面タイプのレイアウト名が一覧表示され、マルチタイプが選択されている場合には、マルチタイプのレイアウト名が一覧表示される。レイアウト選択画面４６０でレイアウト名を選択すると、そのレイアウトの概略を表したレイアウト確認画面４７０が表示される。なお、レイアウト選択画面４６０やレイアウト確認画面４７０において各レイアウトの最大画像数を表示するとよい。
【００６９】
顧客がレイアウトを決定すると、最大画像数決定手段４３３が対応画像数一覧表４４０を参照してこのレイアウトに対応する画像の種類の最大数を求めて変数ｑにセットする（ステップＳ４５２）。顧客の選択した画像の数を示す変数ｍを「１」に初期化した後（ステップＳ４５３）、顧客から１つの画像の選択を受け付ける（ステップＳ４５４）。顧客の選択した画像の数を示す変数ｍの値が、当該レイアウトにおける最大画像数ｑより小さい場合には（ステップＳ４５５；Ｙ）、顧客が画像の追加を希望したか否かを調べる（ステップＳ４５６）。画像の追加を希望している場合には（ステップＳ４５６；Ｙ）、変数ｍの値を「＋１」し（ステップＳ３４５７）、ステップＳ４５４に戻って次の画像の選択を受け付ける。
【００７０】
画像の種類の数を示す変数ｍの値が最大画像数ｑ以上になった場合（ステップＳ４５５；Ｎ）もしくはｍが最大画像数ｑ未満であっても画像の追加を顧客が希望しなかった場合には（ステップＳ４５６；Ｎ）、注文情報の設定が完了する（ステップＳ４５８）。その後は、図１４のステップＳ２０４以降が実行される。
【００７１】
なお、選択された画像の種類数が最大画像数ｑより少ない場合であっても、画像の種類毎のコマ数が均等になるように、各コマへの画像の割り付けを行なうようになっている。たとえば、第４のマルチレイアウト７０に対して２種類の画像が選択された場合には、部分領域ＡとＢの双方に属するコマに１つ目の画像を割り付け、部分領域ＣとＤの双方に属するコマに２つ目の画像を割り付けるようになっている。また第３のマルチレイアウト６０に対して２種類の画像が選択された場合には、部分領域Ａと部分領域Ｂにそれぞれ１種類ずつ画像を割り付けるとともに、部分領域Ｃにある４つの小サイズコマ６３を２つずつ各画像に割り付ける等が行われる。この場合、部分領域Ｃの中サイズコマ６２ａは、空欄になるもしくは顧客の選択した画像以外の画像が割り付けられる。
【００７２】
次に本発明の第３の実施の形態について説明する。第３の実施の形態にかかわる画像レイアウト装置は、プリントを部分領域毎に分割するための境界線（切取線）を表示するとともに、これら境界線に沿って切り分ける際の切取順序を案内表示するようになっている。たとえば、図２０は、第３の２０面レイアウトに境界線と切取順序のガイド表示を施した切取順序案内付きシールプリント５００を示している。この例では、境界線５０１、５０２に▲１▼、▲２▼の番号を付することで、切取順序をガイド表示している。ガイド表示の示す順序に従って切り分けることにより、鋏を途中で止めることなくシートを端から端まで切り通すことができ、逆の順序で切り取る場合に比べて、切り取り作業が簡単化される。
【００７３】
図２１は、切取順序を決定する切取順付与処理の流れを示している。この処理に入る前に、切取順序を示す変数Ｎに「１」を初期設定する。この切取順付与処理では、最初に他の境界線に突き当たることのない境界線を探す。そのような境界線が存在しなければ（ステップＳ６０１；Ｎ）処理を終了する（エンド）。他の境界線に突き当たることのない境界線がある場合には（ステップＳ６０１；Ｙ）、その境界線に変数Ｎが示す切取順序を付与する（ステップＳ６０２）。その後、Ｎを「＋１」し（ステップＳ６０３）、今回切取順序を付与した境界線で切断した場合に生じる２つの断片の一方の断片について、切取順付与処理を再帰呼出する（ステップＳ６０４）。次に他方の断片についても本処理を再帰呼出して（ステップＳ６０５）、処理を終了する。
【００７４】
図２２は、図２１に示す処理によって切取順序を付与したものの一例を示している。このシート６１０には６つの境界線があり、７つの部分領域に分割されている。当初の状態では、他の境界線に突き当たらない境界線として第１境界線６１１と第２境界線６１２がある。この場合、切取順序として１番を割り振るのは、いずれの境界線であってもよい。この例では第１境界線６１１に１番を割り当てている。シート６１０を第１境界線６１１で切り分けると、第１断片６１３と第２断片６１４に分かれる。まず第１断片６１３について図２１の切取順付与処理を再帰呼出すると、他の境界線に突き当たらない境界線として第２境界線６１５が検出されるので、これに２番を割り当てる。第１断片６１３を第２境界線６１５で切り分けると、第２断片６１６と第３断片６１７に分かれる。第２断片６１６について図２１の切取順付与処理を再帰呼出すると、他の境界線に突き当たらない境界線が見つからないので処理を終了する。他方の第３断片６１７について図２１の切取順付与処理を再帰呼出すると、これまた他の境界線に突き当たらない境界線が見つからないので処理を終了する。これにより第１断片６１３についての処理はすべて終了するので、次に第２断片６１４のついて図２１の切取順付与処理を再帰呼出する。
【００７５】
第２断片６１４では、他の境界線に突き当たらない境界線として第３境界線６１８が検出されるので、これに３番を割り当てる。第２断片６１４を第３境界線６１８で切り分けると、第４断片６１９と第５断片６２０に分かれる。そして、第４断片６１９について切取順付与処理を再帰呼出する。第４断片６１９には境界線がないので第４断片６１９についての処理は終了する。次に第５断片６２０について切取順付与処理を再帰呼出すると、他の境界線に突き当たらない境界線として第４境界線６２１が検出されるので、これに４番を割り当てる。以後、同様にして他の境界線に突き当たらない境界線がなくなるまで、各断片について処理を継続すると、図２２に示すように切取順序が付与される。
【００７６】
上述のようにして付与した切取順序に従って切り分けると、途中で鋏を止めることなくシートや各断片の端から端まで切り通す作業の繰り返しによって、すべての部分領域に切り分けることができる。なお、このようにして設定される切取順序を各レイアウトについて予め求めておき、その結果をレイアウト記憶手段３１に登録しておくとよい。
【００７７】
以上、本発明の各種実施の形態を図面によって説明してきたが、具体的な構成はこれら実施の形態に限られるものではなく、本発明の要旨を逸脱しない範囲における変更や追加があっても本発明に含まれる。例えば、第１の実施の形態では、画像の種類数毎に１つのレイアウトを対応付けて記憶したが、２以上のレイアウトを１つの画像の種類に対応付けてもよい。このようにすることで、顧客が選択した画像の種類数に対応付けられているレイアウトの中から希望のレイアウトを選択することができ、すべてのレイアウトの中から選択する場合に比べて、顧客の負担が軽減される。また画像の種類の数に適合しないレイアウトを選択する可能性が低減する。
【００７８】
また実施の形態では、携帯電話から注文する場合を例に説明したが、たとえば、パーソナルコンピュータから注文を受け付けてもよい。さらに必ずしもネットワークを通じて注文を受け付ける必要はなく、スタンドアロン型のプリント装置であってもよい。
【００７９】
第３の実施の形態では、数字で切取順序をガイド表示したが、数字、文字、記号、図柄、色、模様、あるいはこれらの組み合わせによって切取順序を表示してもよい。またシートに点線などの線分を印刷して境界線を表示するほか、各部分領域の背景色や背景模様を隣り合うもの同士で相違させることによって、境界線を識別可能に表示してもよい。
【００８０】
またレイアウトを顧客が自由に設定できるような場合には、設定されたレイアウトに対して図２１に示した切取順付与処理を実施することで、どのようなレイアウトに対しても適切な切取順序をガイド表示することが可能になる。
【００８１】
【発明の効果】
本発明にかかる画像レイアウト装置およびこれを用いたプリント装置によれば、画像の種類の数に応じてレイアウトが決定されるので、レイアウトを選択するための操作負担が軽減される。
【００８２】
選択されたレイアウトに応じて、画像の種類の最大数を決定するものでは、当該レイアウトに含める画像の種類が適切な数に制限されて、画像を各コマにバランスの良く割り付けることが可能になる。またレイアウトに応じて決定された最大数の範囲において画像の種類の選択を受け付けることで、最大数以上の画像を誤って選択することが防止される。
【００８３】
画像の種類毎のコマ数が均等になるように、レイアウト内のコマに画像を割り付けるものでは、画像の種類毎のコマ数にばらつきが出て、切り分けた際に不公平の生じることが防止される。
【００８４】
画像の種類毎のコマ数を均等に割り当てた際に生じた余りのコマを空欄にするかもしくは指定された画像以外の画像を割り付けるものでは、余りのコマが出た場合にも、画像の種類同士の間に不公平が生じない。
【００８５】
境界線で区切られた部分領域毎に１種類の画像を割り当てるものでは、このレイアウトよって作成されたプリントを画像の種類毎に切り分けることができる。
【００８６】
次に切る境界線が他の境界線に突き当たらないものとなるように切取順序をガイド表示するものでは、当該切取順序に従うことで、鋏をシートの途中で止めることなく部分領域毎に切り分けることができる。これにより、多様なレイアウトを実現しつつ、切分けの容易性を確保することができる。
【００８７】
切取順序を案内するガイド表示を、数字、文字、記号、図柄、色、模様のいずれかもしくはこれらの組み合わせによって表示するものでは、ガイド表示をわかり易くしたり、表示スペースを少なくしたりすることができる。
【００８８】
隣り合う部分領域同士の背景模様または背景色を相違させることで境界線を表示するものでは、点線などで境界線を表示する場合に比べて違和感が少なく、シートを切り取らない場合にも境界線が邪魔にならない。
【図面の簡単な説明】
【図１】本発明の第１の実施の形態に係る画像レイアウト装置を備えた注文受付装置が顧客から商品種類の選択と画像の選択とを受け付け、これらに基づいてレイアウトを自動決定し、その確認を顧客に求めるまでの流れを示す説明図である。
【図２】本発明の各実施の形態に係る画像レイアウト装置を備えたプリントサービスシステムの構成を示す説明図である。
【図３】本発明の第１の実施の形態に係る画像レイアウト装置を備えた注文受付装置の概略構成を示すブロック図である。
【図４】第１のマルチレイアウトを示す説明図である。
【図５】第２のマルチレイアウトを示す説明図である。
【図６】第３のマルチレイアウトを示す説明図である。
【図７】第４のマルチレイアウトを示す説明図である。
【図８】第１の２０面レイアウトを示す説明図である。
【図９】第２の２０面レイアウトを示す説明図である。
【図１０】第３の２０面レイアウトを示す説明図である。
【図１１】第４の２０面レイアウトを示す説明図である。
【図１２】第５の２０面レイアウトを示す説明図である。
【図１３】本発明の第１の実施の形態にかかわる画像レイアウト装置の対応レイアウト記憶手段が記憶している対応レイアウト表の一例を示す説明図である。
【図１４】本発明の第１の実施の形態にかかわる注文受付装置がプリント注文を受け付ける際の手順を示す流れ図である。
【図１５】本発明の第１の実施の形態にかかわる画像レイアウト装置が画像の選択を受け付けてレイアウトを決定する際の処理を示す流れ図である。
【図１６】本発明の第２の実施の形態に係る画像レイアウト装置を備えた注文受付装置の概略構成を示すブロック図である。
【図１７】本発明の第２の実施の形態にかかわる画像レイアウト装置の対応画像数記憶手段が記憶している対応画像数一覧表の一例を示す説明図である。
【図１８】本発明の第２の実施の形態にかかわる画像レイアウト装置がレイアウトの選択と画像の選択を受け付ける際の処理を示す流れ図である。
【図１９】本発明の第２の実施の形態にかかわる画像レイアウト装置が顧客の携帯電話に表示するレイアウト選択画面およびレイアウト確認画面の一例を示す説明図である。
【図２０】本発明の第３の実施の形態にかかわる画像レイアウト装置が境界線と切取順序を案内するガイド表示を施した切取順序案内付きシールプリントの一例を示す説明図である。
【図２１】切取順序を決定する切取順付与処理を示す流れ図である。
【図２２】図２１の切取順付与処理によって切取順序が付与される様子を模式的に示す説明図である。
【符号の説明】
１…プリントサービスシステム
２…ネットワーク
３…パーソナルコンピュータ
４…基地局
５…携帯電話
６…店舗のプリントサーバ
７…ラボのプリントサーバ
８…証明写真ＢＯＸのプリントサーバ
１０…注文受付装置
１１…通信制御手段
１２…会員データベース
１３…画像データベース
１４…注文データベース
１５…店舗データベース
２０…プリントサービス制御手段
２１…注文受付手段
２２…商品データ作成手段
３０…画像レイアウト装置
３１…レイアウト記憶手段
３２…対応レイアウト記憶手段
３３…レイアウト決定手段
３４…画像割当手段
４０…第１のマルチレイアウト
４１…大サイズコマ
４２…中サイズコマ
４３…小サイズコマ
５０…第２のマルチレイアウト
５２…中サイズコマ
５３…小サイズコマ
６０…第３のマルチレイアウト
６２…中サイズコマ
６３…小サイズコマ
７０…第４のマルチレイアウト
７２…中サイズコマ
７３…小サイズコマ
８０…第１の２０面レイアウト
９０…第２の２０面レイアウト
１００…第３の２０面レイアウト
１０１…余りのコマ
１１０…第４の２０面レイアウト
１２０…第５の２０面レイアウト
１５０…対応レイアウト表
２１０…アイテム選択画面
２１１…「［１］シールプリント２０面」の欄
２１２…「［２］シールプリントマルチ」の欄
２１３…「決定」ボタン
２２０…画像選択画面
２２１…「新規画像登録」の欄
２３０…レイアウト確認画面
４００…注文受付装置
４２０…プリントサービス制御手段
４３０…画像レイアウト装置
４３２…対応画像数記憶手段
４３３…最大画像数決定手段
４４０…対応画像数一覧表
４６０…レイアウト選択画面
４７０…レイアウト確認画面
５００…切取順序案内付きシールプリント
５０１、５０２…境界線
６１０…シート
６１１…第１境界線
６１２…第２境界線
６１３…第１断片
６１４…第２断片
６１５…第２境界線
６１６…第２断片
６１７…第３断片
６１８…第３境界線
６１９…第４断片
６２０…第５断片
６２１…第４境界線
【図１】
2004312106.tif 000003
【図２】
2004312106.tif 000004
【図３】
2004312106.tif 000005
【図４】
2004312106.tif 000006
【図５】
2004312106.tif 000007
【図６】
2004312106.tif 000008
【図７】
2004312106.tif 000009
【図８】
2004312106.tif 000010
【図９】
2004312106.tif 000011
【図１０】
2004312106.tif 000012
【図１１】
2004312106.tif 000013
【図１２】
2004312106.tif 000014
【図１３】
2004312106.tif 000015
【図１４】
2004312106.tif 000016
【図１５】
2004312106.tif 000017
【図１６】
2004312106.tif 000018
【図１７】
2004312106.tif 000019
【図１８】
2004312106.tif 000020
【図１９】
2004312106.tif 000021
【図２０】
2004312106.tif 000022
【図２１】
2004312106.tif 000023
【図２２】
2004312106.tif 000024